(57)【要約】【課題】  遮音性に優れ、壁面の装飾が容易な内装壁を提供する。【解決手段】  ＲＣ壁Ｗに沿って壁下地１０を構築する。そして、この壁下地１０の室内側に、複数の貫通孔２１ａ、２１ａ、・・・を有する有孔板２１を取り付ける。さらに、この有孔板２１の室内側に、貫通孔２１ａ、２１ａ、・・・の室内側の開口部を塞ぐように無孔板２２を取り付ける。【選択図】  図１
2005146651.tif 000002
【特許請求の範囲】
【請求項１】
壁下地と、
前記壁下地の室内側に取り付けられる化粧層とを備える内装壁であって、
前記化粧層は、壁下地側の面に複数の吸音用凹部が凹設されており、室内側の面は平滑面に形成されていることを特徴とする内装壁。
【請求項２】
前記化粧層は、複数の貫通孔が形成された有孔板に、少なくともいずれか一方の面が平滑面に形成された無孔板を、当該平滑面が有孔板と反対側を向くように積層して成ることを特徴とする請求項１に記載の内装壁。
【発明の詳細な説明】
【技術分野】
【０００１】
この発明は、内装壁、特に遮音性能を向上させた内装壁に関する。
【背景技術】
【０００２】
ＲＣ造、Ｓ造、ＳＲＣ造等の構造物において、室内空間に内装壁を設ける際は、躯体壁に沿って壁下地を構築し、この壁下地にせっこうボードなどから成る化粧層を取り付ける方法が一般に行われている（例えば特許文献１参照）。
【０００３】
図７は、従来のＲＣ構造物の側壁に沿って構築した内装壁１００の縦断面図である。内装壁１００は、ＲＣ壁Ｗに沿って設置された壁下地１１０（ランナー１１１、スタッド１１２）と、この壁下地１１０の室内側に取り付けられた化粧層１２０とから構築されている。
ここで、ＲＣ壁Ｗは、室内と屋外を隔てる外壁でもよいし、共同住宅の各住戸間等を隔てる界壁でもよい。
【０００４】
屋外又は他の室内（隣の部屋）で発生した騒音がＲＣ壁Ｗに到達すると、その音波Ｎは、ＲＣ壁Ｗによってある程度減衰されるが、一部の音波ｎはＲＣ壁Ｗの内部まで到達する。このとき、透過した音波ｎが化粧層１２０とＲＣ壁Ｗとの間の空洞部分で太鼓のように共鳴して遮音性能が低下してしまうことがある。いわゆる「共鳴透過現象」とか「音抜け」と言われる現象である。この対策として、例えば、グラスウールや共鳴管などの吸音材を空洞部分に詰める等、遮音対策用の専用部品を別途追加することが行われている（例えば特許文献２参照）。
【０００５】
一方、騒音を吸収する化粧層用材料としては、ＪＩＳ  Ａ  ６３０１「吸音材料」に挙げられている「吸音用あなあきせっこうボード（ＧＢ−Ｐ）」、「吸音用あなあきスレートボード（ＡＣ−Ｐ）」、「吸音用あなあきハードファイバーボード（ＨＢ−Ｐ）」等の有孔吸音板が知られている。かかる有孔吸音板は、例えば学校の廊下の天井や壁などに用いられている。
【特許文献１】特開２００２−６１３７１号公報（[００１０]、第１図）
【特許文献２】特開２００１−３４８２号公報（［０００６］−［０００９］、第１図）
【発明の開示】
【発明が解決しようとする課題】
【０００６】
しかし、遮音対策用の専用部品を別途追加するような対策では、施工部品数が増加したり、施工手順が煩雑になってしまうため、材料費の増加や施工能率の低下といった弊害を招いていた。また、ＲＣ壁と化粧層の間にグラスウールを設置する場合、前記共鳴透過現象を防止するためには、非常に分厚いグラスウールを設置する必要があるため、居室空間が減少してしまうという弊害を招いていた。
【０００７】
また、有孔吸音板は、貫通孔を有するため、化粧層として利用するにはデザインの制約が大きいという問題があった。また、表面に化粧紙を貼るとしても破損や剥離等を生じ易いという問題があった。
【０００８】
本発明は、これらの問題点に鑑みてなされたものであり、施工性、経済性、遮音性に優れ、壁面の装飾が容易な内装壁を提供することを課題とする。
【課題を解決するための手段】
【０００９】
本発明に係る内装壁は、壁下地と、前記壁下地の室内側に取り付けられる化粧層とを備える内装壁であって、前記化粧層は、壁下地側の面に複数の吸音用凹部が凹設されており、室内側の面は平滑面に形成されていることを特徴とする。
【００１０】
かかる内装壁によれば、化粧層の壁下地側の面に凹設された複数の吸音用凹部が、外壁や界壁を透過してきた音を吸収することから、内装壁の遮音性能を向上させることができる。また、室内側の面は平滑に形成されていることから、化粧紙の破損や剥離を少なくすることができる。また、塗装による装飾も簡単に行うことができる。さらに、化粧層自体に吸音用凹部を設けたことから、遮音対策用の専用部品を別途必要とせず、構造・施工を簡便にすることができる。また、グラスウール等の遮音材を空洞部分に設置する場合に比べて、同じ遮音性能を得るために必要な内装壁の厚さが小さくてすむ。
【００１１】
また、かかる内装壁によれば、外壁や界壁を透過してきた音のみならず、内装壁が設置された室内の音源で発生し、外壁や界壁に反射されて室内に戻ってくる音も、内装壁に設けられた吸音用凹部で吸収される。したがって、外部からの音に対する遮音性に優れるとともに、内部で発生した音の反射（残響）が少ない内装壁とすることができる。
【００１２】
また、本発明に係る内装壁の化粧層は、複数の貫通孔が形成された有孔板に、少なくともいずれか一方の面が平滑面に形成された無孔板を、当該平滑面が有孔板と反対側を向くように積層して構成するのが好適である。
【００１３】
かかる構成によれば、有孔板に形成された貫通孔の一方の開口部が無孔板に塞がれて吸音用凹部が形成され、内装壁の遮音性を高めることができる。また、有孔板としては、公知の有孔吸音板を使用することができ、無孔板としても、公知の内装材（例えばせっこうボード、珪酸カルシウムボード等）を使用することができる。このため、材料の入手が容易で施工性、経済性に優れた内装壁を実現することができる。
【００１４】
なお、本発明に係る内装壁の化粧層を、前記有孔板と前記無孔板との間にシート状部材が挟着されるように構成すると、さらに好適である。
【００１５】
かかる構成によれば、有孔板と無孔板との間に挟着されたシート状部材が、吸音用凹部の底部において膜振動して騒音を吸収するため、内装壁の遮音性能を一層高めることが可能となる。
【発明の効果】
【００１６】
請求項１に係る内装壁によれば、化粧層の壁下地側の面に凹設された複数の吸音用凹部が、外壁や界壁を透過してきた音、並びに、当該内装壁を設置した室内の音源で発生し、外壁や界壁に反射された音を吸収することから、内装壁の遮音性能を向上させるとともに、反射音の少ない内装壁とすることができる。また、化粧層の室内側の面は平滑に形成されていることから化粧紙を貼り付けても、破損や剥離を生じることが少ない。また、塗装による装飾も簡単に行うことができる。さらに、化粧層自体に吸音用凹部を設けたことから、遮音対策用の専用部品を別途必要とせず、構造・施工が簡便な内装壁を提供することができる。
【００１７】
請求項２に係る発明によれば、化粧層として一般的に用いられている材料を利用することができることから、材料の入手が容易で施工性、経済性に優れた内装壁を実現することができる。
【発明を実施するための最良の形態】
【００１８】
以下、本発明の好適な実施形態について詳細に説明する。なお、同一の構成要素については同一符号を用い、重複する説明は省略する。
【００１９】
＜第１の実施形態＞
図１は、第１の実施形態に係る内装壁の一部を切り欠いて示した斜視図である。また、図２は、図１の内装壁の一部を拡大して示した縦断面図である。
内装壁１は、図１に示すように、ＲＣ壁Ｗから所定間隔離間した位置に設置される壁下地１０と、この壁下地１０の室内側に取り付けられる化粧層２０とから構成されている。
なお、以下の説明において、「室内側」というときは、当該内装壁を設置した室内の方向（例えば図２の右側）を指すものとする。
【００２０】
［壁下地］
壁下地１０は、化粧層２０を支える骨組体であり、図１に示すように、下ランナー１１と、上ランナー１２と、スタッド１３、１３、・・・とが組み合わされて構成されている。
【００２１】
下ランナー１１は、断面視略コ字形（図２参照）の長尺部材である。下ランナー１１は、コ字形の溝の開口部を上に向けて床面Ｙの所定位置に取り付けられている。床面Ｙへの固定方法は、釘打ち、ビス止め、接着等、いかなる方法でもよい。
【００２２】
上ランナー１２は、下ランナー１１と同じく、断面視略コ字形の長尺部材であり、コ字形の溝の開口部を下に向けて、天井面Ｔに、下ランナー１１と平行に、かつ対峙するように取り付けられている。
【００２３】
スタッド１３、１３、・・・は、所要の断面形状をした長尺部材であり、前記下ランナー１１と上ランナー１２との間に互いに所定間隔をあけてそれぞれ鉛直に立設されている。スタッド１３、１３、・・・の両端部は、下ランナー１１と上ランナー１２のコ字形の溝にそれぞれ嵌め込まれて挟持されている。
【００２４】
これら下ランナー１１、上ランナー１２及びスタッド１３としては、公知の壁下地材を用いることができる。このように壁下地１０を構成することにより、ＲＣ壁Ｗの施工精度が良くない場合でも、壁下地１０の設置位置を調節して化粧層２０の通りを設計位置に合わせることができる。
【００２５】
なお、下ランナー１１及び上ランナー１２の断面形状を、図２に示すような形状にすると、スタッド１３を嵌め込み易くなり好適である。以下、下ランナー１１の形状について図２を参照して説明する。
【００２６】
下ランナー１１は、床面Ｙと当接する基部１１ａと、基部１１ａの室内側の縁部から鉛直上方に延びる室内側側部１１ｂと、基部１１ａのＲＣ壁側縁部から鉛直上方に延びる躯体側側部１１ｃとから形成されている。そして、これらに三方を囲まれて溝１１ｄが形成されている。
躯体側側部１１ｃは、図２に示すように、基部１１ａとの交差部から溝１１ｄの内側に向かって傾斜している。そして、高さ方向の中間部（折曲点１１ｅ）で溝１１ｄの外側に向かって折り曲げられている。このようにして、溝１１ｄは、スタッド１３を嵌めていない状態では、高さ方向の中間部の最小幅Ｂ１がスタッド１３の幅Ｐよりも狭くなると共に、開口部の幅Ｂ２がスタッド１３の幅Ｐよりも広くなるように形成されている。
【００２７】
スタッド１３を下ランナー１１に嵌め込む際は、スタッド１３の端部を溝１１ｄの開口部に当接させて押し込む。すると、躯体側側部１１ｃが弾性変形して溝１１ｄの幅が広がり、スタッド１３を室内側側部１１ｂと躯体側側部１１ｃとで挟み込む。これにより、スタッド１３が下ランナー１１にしっかりと挟持されることとなる。また、開口部の幅Ｂ２はスタッド１３の幅よりも広く形成されているので、スタッド１３を溝１１ｄにこじ入れる必要がなく、下ランナー１１が変形してしまうことを防止することができる。
【００２８】
［化粧層］
化粧層２０は、構造物の内装の仕上げ面となる層であり、例えばせっこうボード等の板状部材から構成されるものである。本実施形態では、化粧層２０は、図１及び図２に示すように、複層構造となっており、複数の貫通孔２１ａ、２１ａ、・・・を有する有孔板２１と、この有孔板２１の室内側に取り付けられる無孔板２２とから構成されている。
【００２９】
有孔板２１は、複数の貫通孔２１ａ、２１ａ、・・・を有する板状部材である。有孔板２１は、壁下地１０の室内側に取り付けられている。有孔板２１は、予め貫通孔が設けられている公知の有孔吸音板を用いてもよいし、無孔の化粧層材料にドリル等で孔あけ加工を施したものでもよい。公知の有孔吸音板としては、ＪＩＳ  Ａ  ６３０１「吸音材料」に挙げられている「吸音用あなあきせっこうボード（ＧＢ−Ｐ）」、「吸音用あなあきスレートボード（ＡＣ−Ｐ）」、「吸音用あなあきハードファイバーボード（ＨＢ−Ｐ）」等を用いることができる。
なお、有孔板２１と壁下地１０との固定方法は特に限定されるものではなく、例えば釘打ち、ビス止め、接着等の方法を用いることができる。
【００３０】
貫通孔２１ａは、例えば所定径の円形孔であり、本実施形態においては、図１に示すように、有孔板２１の全面に所定のピッチで整列配置されている。この貫通孔２１ａの室内側開口部が、後記する無孔板２２によって塞がれることにより、「吸音用凹部」を形成する。
なお、吸音される音の周波数域は、後記する式（１）によって計算される開孔率α、によって変化するので、遮音すべき音の周波数域に応じた開孔率αの有孔板２１を選択又は作成して使用するのが効果的である。
【００３１】
α＝（π×Ｄ2／４）／Ｌ2×１００・・・・式（１）
ここで、α：開孔率（％）
Ｄ：貫通孔２１ａの直径（ｍｍ）
Ｌ：貫通孔２１ａ同士の間隔（ｍｍ）
【００３２】
無孔板２２は、有孔板２１の室内側に取り付けられる貫通孔を有しない板状部材であり、通常のせっこうボード等で構成されている。無孔板２２は、有孔板２１の室内側に配置され、釘打ち、ビス止め、接着等の方法により有孔板２１又は壁下地１０のスタッド１３に固定されている。無孔板２２の室内側の面は、化粧紙の貼り付けや塗装がし易いように平滑面に形成されている。無孔板２２の躯体側の面、すなわち有孔板２１と当接する面は、平滑面であってもよいし、凹部が形成されていてもよい。
【００３３】
［内装壁の施工］
壁下地１０に化粧層２０を取り付ける際は、（１）有孔板２１を壁下地１０に取り付けた後に、無孔板２２を有孔板２１の室内側から釘打ち、ビス止め、接着等の方法により有孔板２１又は壁下地１０に取り付けるようにしてもよいし、（２）有孔板２１と、無孔板２２とを接着剤等により一体化して化粧層２０を形成した後に、釘打ち、ビス止め等の方法により化粧層２０を壁下地１０に取り付けるようにしてもよい。
【００３４】
（１）の施工方法によれば、有孔板２１と無孔板２２の目地の位置を互いにずらすことができるため、目地からの騒音の漏れを防いで遮音性をより高めることができる。一方、（２）の施工方法によれば、予め有孔板２１と無孔板２２とを貼り合わせておくことにより、現場での作業数を減らして作業の効率化を図ることができる。
【００３５】
＜第２の実施形態＞
図３は、第２の実施形態に係る内装壁２を示した縦断面図である。
第１の実施形態では、化粧層２０を有孔板２１と無孔板２２の２層構造としたが、第２の実施形態では、化粧層３０を単層の板状部材によって構成している。すなわち、化粧層３０は、一方の面に複数の吸音用凹部３０ａ、３０ａ、・・・が形成されており、他方の面は平滑に形成されている。そして、複数の吸音用凹部３０ａ、３０ａ、・・・が形成されている面を壁下地１０側に向けて、当該壁下地１０に取り付けられている。
【００３６】
本実施形態において、吸音用凹部３０ａは、化粧層３０を貫通しないようにして一方の面に形成された有底の円形穴である。吸音用凹部３０ａは、例えば孔の開いていないせっこうボード等の内装材の表面をドリル等の工具を用いて削孔することにより形成される。吸音用凹部３０ａの直径及び間隔は、遮音する音の周波数域に応じて適宜設定されて形成される。
【００３７】
かかる化粧層３０によっても、吸音用凹部３０ａ、３０ａ、・・・がＲＣ壁Ｗを透過してきた騒音を吸収するため、遮音性能を向上させることができる。また、単一の部材で化粧層３０を構成していることから、構造が簡単であり施工性に優れる。
【００３８】
また、化粧層３０に形成された吸音用凹部３０ａ、３０ａは、ＲＣ壁Ｗを透過してきた騒音のみならず、室内で発生してＲＣ壁Ｗで反射されて戻ってくる音（反射音）も吸収して低減する。
【００３９】
＜第３の実施形態＞
図４は、第３の実施形態に係る内装壁３を示した縦断面図である。
内装壁３の化粧層２０’は、第１の実施形態に係る内装壁１の有孔板２１と無孔板２２との間に、シート状の裏打ち紙２３（シート状部材）を挟んだ構造となっている。すなわち、化粧層２０’は、壁下地１０の室内側に取り付けられた有孔板２１と、この有孔板２１の室内側の面に配置された裏打ち紙２３と、この裏打ち紙２３の室内側に取り付けられた無孔板２２とから構成されている。
【００４０】
裏打ち紙２３は、シート状の部材であり、膜振動により音を吸収する役割を果たすものである。裏打ち紙２３は、有孔板２１の室内側の面、又は無孔板２２の壁下地１０側の面にステープラーや接着剤等によって貼り付けられる。このような構造にすると、貫通孔２１ａと裏打ち紙２３の両方で音を吸収することができるので、遮音性能を一層高めることができる。
【００４１】
＜その他の実施形態＞
図５は、本発明に係る内装壁を、Ｓ造の構造物に適用した場合を示した一部切り欠き斜視図である。
Ｓ造の構造物では、図５に示すように、Ｈ形鋼が鉄骨梁Ｈ１として用いられている。鉄骨梁Ｈ１は、耐火性を高めるために耐火被覆材（図示せず）が吹き付けられる場合がある。このような場合には、鉄骨梁Ｈ１の下部フランジに取付部材Ｓ、Ｓ、・・・を取り付けておく。本実施形態では、取付部材Ｓとして所要の長さに形成した溝形鋼を用いている。
【００４２】
そして、取付部材Ｓの下端面が露出するように、鉄骨梁Ｈ１に耐火被覆材を吹き付ける。かかる露出面に上ランナー１２を取り付けることにより、鉄骨梁Ｈ１に取付部材Ｓを介して内装壁を取り付けることができる。なお、耐火被覆を行わない場合には、鉄骨梁Ｈ１の下部フランジに上ランナー１２を直接取り付けてもよい。
【００４３】
図６は、本発明に係る内装壁を、間仕切壁に適用した場合を示した一部切り欠き斜視図である。
内装壁５は、図６に示すように、部屋と部屋との境界に設置された壁下地１０’と、その両側にそれぞれ取り付けられた化粧層２０，２０とから構成されている。ここで、壁下地１０’の下ランナー１１’及び上ランナー１２’は、両側に化粧層２０を取り付けやすいように、溝の側部がフラットなものを使用するのが好ましい。
このように、本発明に係る内装壁は、壁下地１０’によって化粧層２０を支える構造であるから、躯体壁の室内側に設けられる所謂ふかし壁のみならず、間仕切壁にも適用することができる。
【００４４】
以上、本発明の好適な実施形態について説明したが、本発明はこれらに限られるものではなく、本発明の趣旨を逸脱しない範囲で適宜設計変更が可能である。
【００４５】
たとえば、本実施形態においては、貫通孔２１ａ及び吸音用凹部３０ａは断面円形状の孔又は凹部となっているが、目的とする周波数域の音を吸収することができる限り、他の形状（例えば四角形、三角形、楕円形等）であってもよい。また、貫通孔２１ａ及び吸音用凹部３０ａの直径や配置が不規則であってもよい。このようにすると、異なる周波数の音波を吸収（遮音）することができる。
【００４６】
また、本実施形態では、「シート状部材」として裏打ち紙２３を使用したが、膜振動することにより音エネルギーを吸収可能なものであれば、他の材質（例えば布、ビニール等）のものであってもよい。
【００４７】
また、本発明に係る内装壁の上ランナーが取り付けられる箇所は、天井面Ｔや鉄骨梁Ｈ１の下部フランジに限られるものではなく、たとえばＲＣ造やＳＲＣ造の構造物の梁下端等であってもよい。
【図面の簡単な説明】
【００４８】
【図１】第１の実施形態に係る内装壁の一部を切り欠いて示した斜視図である。
【図２】図１の内装壁の一部を拡大して示した縦断面図である。
【図３】第２の実施形態に係る内装壁を示した縦断面図である。
【図４】第３の実施形態に係る内装壁を示した縦断面図である。
【図５】本発明に係る内装壁をＳ造の構造物に適用した場合を示した一部切り欠き斜視図である。
【図６】本発明に係る内装壁を間仕切壁に適用した場合を示した一部切り欠き斜視図である。
【図７】従来の内装壁を示した縦断面図である。
【符号の説明】
【００４９】
１        内装壁
１０      壁下地
１１      下ランナー
１２      上ランナー
１３      スタッド
２０      化粧層
２１      有孔板
２１ａ    貫通孔
２２      無孔板
Ｗ        ＲＣ壁
【図１】
2005146651.tif 000003
【図２】
2005146651.tif 000004
【図３】
2005146651.tif 000005
【図４】
2005146651.tif 000006
【図５】
2005146651.tif 000007
【図６】
2005146651.tif 000008
【図７】
2005146651.tif 000009